(57)【特許請求の範囲】
【請求項１】
操作ボタンのプッシュ操作で点火及び出湯と消火及び出湯停止を行い、操作ボタンの回転操作で湯温調節と水だけの出水を行い、能力切替レバーのスライド操作でガス量を無段階に調節して能力切替えを行う構成とした湯沸器において、
操作ボタンの回転操作で湯温調節等をする湯温調節体が軸支され、かつ操作パネルと、能力切り替えレバーのリング状支持体の円弧状スリット孔が係止される係止爪とを有するボディと、
操作ボタンと同軸で湯温調節体に回動自由に配され、かつ軸を中心とする円周上に円弧状スリット孔を備えたリング状の支持体を有する能力切り替えレバーとを備え、  
操作ボタンは湯温調節体と一体的としてボディに対して回動自由に備えられ、能力切り替えレバーは操作ボタンと同軸上で湯温調節体に回動自由とするとともに前記ボディに設けた係止爪に対してリング状の支持体の円弧状スリット孔が係止されて回転可能に備えられ、
上記操作ボタンと能力切替レバーを同一ボディに同一軸心を保って各別に回転操作可能に組み付けてユニット化したことを特徴とする湯沸器の操作装置。
【発明の詳細な説明】
【０００１】
【発明の属する技術分野】
この発明は、湯沸器の操作装置に関し、特に、水量とガス量とを独立して調節できる湯沸器において、操作ボタンと能力切替レバーとをユニット化した湯沸器の操作装置に関する。
【０００２】
【従来の技術】
従来のこの種の湯沸器における操作装置は、操作ボタンと能力切替レバーとはボディにガイド部品を介して各別に組み付ける構造となっている。
【０００３】
【発明が解決しようとする課題】
しかしながら、上記従来の操作装置は各別の２種類の組立て部品で構成されているので、部品点数が多くなり、また、組立て作業にも多くの手間と労力を要するばかりでなく、組み付け不良による故障等の弊害も多いなどの問題点があった。
【０００４】
この発明の湯沸器の操作装置は上記課題を解決し、操作ボタンと能力切替レバーとを１つの部品にユニット化することで、上記従来の技術の問題点を解消した湯沸器の操作装置の提供を目的としている。
【０００５】
【課題を解決するための手段】
上記課題を解決するこの発明の請求項１の湯沸器の操作装置は、
操作ボタンのプッシュ操作で点火及び出湯と消火及び出湯停止を行い、操作ボタンの回転操作で湯温調節と水だけの出水を行い、能力切替レバーのスライド操作でガス量を無段階に調節して能力切替えを行う構成とした湯沸器において、
操作ボタンの回転操作で湯温調節等をする湯温調節体が軸支され、かつ操作パネルと、能力切り替えレバーのリング状支持体の円弧状スリット孔が係止される係止爪とを有するボディと、
操作ボタンと同軸で湯温調節体に回動自由に配され、かつ軸を中心とする円周上に円弧状スリット孔を備えたリング状の支持体を有する能力切り替えレバーとを備え、  
操作ボタンは湯温調節体と一体的としてボディに対して回動自由に備えられ、能力切り替えレバーは操作ボタンと同軸上で湯温調節体に回動自由とするとともに前記ボディに設けた係止爪に対してリング状の支持体の円弧状スリット孔が係止されて回転可能に備えられ、
上記操作ボタンと能力切替レバーを同一ボディに同一軸心を保って各別に回転操作可能に組み付けてユニット化したことを要旨とする。
【０００８】
上記構成を有するこの発明の請求項１の湯沸器の操作装置は、プッシュ操作で点火及び出湯と消火及び出湯停止を行い、回転操作で湯温調節と水だけの出水を行う操作ボタンと、左右へのスライド操作でガス量を無段階に調節して能力切替えを行う能力切替レバーとを同一ボディに同一軸心を保って各別に操作ができるように組み付けてユニット化した。この結果、操作ボタンと能力切替レバーとはボディを介して１つの部品に形成される。
【０００９】
また、上記操作ボタンはその前端に備えた数個の係止爪がボディの前面筒部に回転可能に係止されてボディに組み付けられている。この結果、操作ボタンはボディと一体的に結合される。
【００１０】
また、上記能力切替レバーはその上部に備えた数個の円弧状のスリット孔にボディの後面数箇所の係止爪が回転可能に係止されてボディに組み付けられている。この結果、能力切替レバーはボディと一体的に結合される。
【００１１】
【発明の実施の形態】
以上説明したこの発明の構成、作用を一層明らかにするために、以下にこの発明の湯沸器の操作装置の好適な実施の形態の一例について図面を参照して詳細に説明する。
【００１２】
図面はこの発明の操作装置を元止式ガス瞬間湯沸器に適用した場合を例示したものであって、図１〜図３は全体を示し、図４〜図８はその要部だけを示している。
【００１３】
そこで、図面において、Ａは操作体で、その操作ボタン１ａはプッシュ操作と回転操作とができるようになっており、この操作ボタンＡはボタン軸１の一端に固定され、ボタン軸１は熱交換器２０とミキシング部への給水量を調節する水量調節コックを回動操作するための歯車２を有する湯温調節体３の中心軸孔４に軸方向には進退自由で回転方向には固定的に挿入支持され、このボタン軸１に備えたハートカム５とレバーピン６によるボタン軸１の進退ストロークの規制により、操作ボタン１ａのプッシュ操作だけで点火及び出湯と消火及び出湯停止が行えるようになっている。
【００１４】
Ｂはボディで、中心に上記湯温調節体３を軸支する筒部７を有する円板状の取付体８と扇形の操作パネル９とからなり、取付体８の筒部７に湯温調節体３の前面筒軸部１０を回転可能に嵌めつけてボディＢに対し湯温調節体３を軸設し、湯温調節体３の前面筒軸部１０の端面に略等間隔を存して設けた数個の係止爪１１をボディＢの筒部７の端面に係止してボディＢに対し湯温調節体３を回転可能に結合し、操作ボタン１ａの回転操作で湯温調節体３を回動し歯車２を介して水量調節コックを作動して湯温調節と水だけの出水とが行えるようになっている。
【００１５】
Ｃは能力切替レバーで、操作レバー１２の上部にメインバーナ１９への供給ガス量を能力調節コックにより変化させて能力切替えを行うための歯車１３を上部に有する短筒部１４と、数個の円弧状のスリット孔１５を同一円周上に備えたリング状の支持体１６とを同一軸心上に一定の間隔を存して備え、上記短筒部１４は上記操作ボタンＡと一体の湯温調節体３に形成された軸部１７に回転自由に嵌めつけられ、また、上記リング状の支持体１６は上記ボディＢの円板状取付体８の後面部に重合し、取付体８の後面部の数箇所に設けた係止爪１８をリング状支持体１６の円弧状のスリット孔１５に係止して操作レバー１２をボディＢの取付体８に回転可能に結合して操作レバー１２を所定の角度だけ左右へ湯温調節体３の軸部１７を支点としてスライド操作することにより歯車１３を介して能力調節用コックを作動しメインバーナ１９への供給ガス量を冬期、夏期などにより変化させて能力切替えが行えるようになっている。
【００１６】
なお、図において、２１はボタン軸１の復帰用バネ、２２はクリック感を出すためのボールで、押圧バネ２３でボディＢの筒部７の内面に一定圧をもって押しつけられている。２４、２５はボディＢに設けた取付座で相手部品等にビス止めするものである。２６は電装基板Ｅの高圧トランス２７からの高圧コード２７ａを迂回配線するためのコード支持片、また、２８は操作レバー１２の回動角度範囲を規制するためのストッパーである。
【００１７】
図１〜図３に示されている元止式ガス瞬間湯沸器は、各種機能部を備えた器体Ｃの前面にフロントカバー２９を脱着自由に備え、全体として薄型に形成されている。
上記器体Ｃには上記電装基板Ｅをその下部一側の前面寄りに起立して乾電池ケース３０とともに備えており、上記メインバーナ１９、熱交換器２０のほか、点滅器３１、フレームロッドＦＲ、点火ロッド３２などの湯沸かし機能部を備えている。これらの機能部はすべてフロントカバー２９とバックカバー３３のケーシングに内蔵されている。なお、図中３４は給水接続口、３５はガス接続口、３６は出湯口でこの出湯口３６には先端にキッチンシャワー３７を備えたフレキシブル管３８が接続されている。
【００１８】
以上この発明の実施の形態の一例について説明したが、この発明はこうした実施の形態に何ら限定されるものではなく、この発明の要旨を逸脱しない範囲において種々なる形態で実施しうることは勿論である。
【００１９】
【発明の効果】
この発明の湯沸器の操作装置は以上説明したような形態で実施され、以下に記載されるような効果を奏する。
【００２０】
この発明の請求項１の湯沸器の操作装置によれば、操作ボタンは湯温調節体と一体的としてボディに対して回動自由に備えられ、能力切り替えレバーは操作ボタンと同軸上で湯温調節体に回動自由とするとともに前記ボディに設けた係止爪に対してリング状の支持体の円弧状スリット孔が係止されて回転可能に備えられ、操作ボタンと能力切替レバーとを同一ボディに同一軸心を保って各別に操作ができるように一体に組み付けてユニット化したから、部品点数は削減され、また、その組立て作業も容易に行え、さらには、組み付け不良等による故障等も全く生じない。
【００２１】
また、操作ボタンはボディにそのプッシュ操作と回転操作に支障がないように組み付けられているから、そのユニット化が適切に行いうる。
【００２２】
また、能力切替レバーはボディにそのスライド操作に支障がないように組み付けられているから、そのユニット化が適切に行いうる。
【００２３】
以上説明したこの発明の湯沸器の操作装置は、操作ボタンと能力切替レバーとがボディに係止爪により係止して一体化されているから、これらのユニット化は勿論のこと、部品交換等もその係止を外して簡単に行えるものである。
【図面の簡単な説明】
【図１】この発明の操作装置を適用した湯沸器の一例を示した全体正面図である。
【図２】その仰視図である。
【図３】フロントカバーを取り外した器体の正面図である。
【図４】操作装置だけの一例を示した正面図である。
【図５】その操作ボタンを取り外した状態の正面図である。
【図６】その縦断側面図である。
【図７】その背面図である。
【図８】ボディから能力切替レバーだけを取り外した状態を示したもので、（イ）はボディ部の背面図、（ロ）は能力切替レバーの背面図である。
【符号の説明】
Ａ…操作ボタン
Ｂ…ボディ
Ｃ…能力切替レバー
７…筒部
１１…係止爪
１８…係止爪
１５…スリット孔
【図１】
0003904724.tif 000002
【図２】
0003904724.tif 000003
【図３】
0003904724.tif 000004
【図４】
0003904724.tif 000005
【図５】
0003904724.tif 000006
【図６】
0003904724.tif 000007
【図７】
0003904724.tif 000008
【図８】
0003904724.tif 000009